(57)【要約】【課題】小型でありながら広帯域で動作し、非接触方式のデータ伝送に使用可能なアンテナ装置を提供する。【解決手段】アンテナ装置１は、ループ状に設けられた導体素子２，３，４を備える。導体素子２，３は、第１の端部から第２の端部に向かうにつれて導体素子２，３の間の距離が次第に増大するテーパスロット線路を構成する。テーパスロット線路の第１の端部において給電点Ｐ１，Ｐ２が設けられ、テーパスロット線路の第２の端部において導体素子２，３は導体素子４によって電気的に接続される。【選択図】図１
2013255069.tif 000002
【特許請求の範囲】
【請求項１】
ループ状に設けられた第１、第２及び第３の導体素子を備えたアンテナ装置であって、
上記第１及び第２の導体素子は、第１の端部から第２の端部に向かうにつれて上記第１及び第２の導体素子の間の距離が次第に増大するテーパスロット線路を構成し、
上記テーパスロット線路の第１の端部において給電点が設けられ、
上記テーパスロット線路の第２の端部において上記第１及び第２の導体素子は上記第３の導体素子によって電気的に接続されることを特徴とするアンテナ装置。
【請求項２】
上記給電点は、上記第１の導体素子上に設けられた第１の給電点と、上記第２の導体素子上に設けられた第２の給電点とを含み、上記アンテナ装置は上記第１及び第２の給電点を介して平衡給電されることを特徴とする請求項１記載のアンテナ装置。
【請求項３】
上記アンテナ装置は上記給電点を介して不平衡給電されることを特徴とする請求項１記載のアンテナ装置。
【請求項４】
上記第１及び第２の導体素子の少なくとも一方は、上記テーパスロット線路に開口部を有する少なくとも１つのスリットを備えたことを特徴とする請求項１〜３のいずれか１つに記載のアンテナ装置。
【請求項５】
請求項１〜４のいずれか１つに記載のアンテナ装置を備えたことを特徴とする無線通信装置。
【請求項６】
８ｂ／１０ｂ符号化方式により符号化された信号を上記アンテナ装置を介して伝送することを特徴とする請求項５記載の無線通信装置。
【請求項７】
上記無線通信装置は、上記アンテナ装置を備えたメモリーカードであることを特徴とする請求項５又は６記載の無線通信装置。
【請求項８】
請求項１〜４のいずれか１つに記載のアンテナ装置を備えた無線送信装置と、請求項１〜４のいずれか１つに記載のアンテナ装置を備えた無線受信装置とを備えたことを特徴とする無線通信システム。
【請求項９】
上記無線送信装置のアンテナ装置の上記第１、第２及び第３の導体素子によって形成されるループは、上記無線受信装置のアンテナ装置の上記第１、第２及び第３の導体素子によって形成されるループと磁界結合し、
上記無線送信装置のアンテナ装置の上記第１、第２及び第３の導体素子の少なくとも一部は、上記無線受信装置のアンテナ装置の上記第１、第２及び第３の導体素子の少なくとも一部と電界結合することを特徴とする請求項８記載の無線通信システム。
【請求項１０】
上記無線送信装置のアンテナ装置のテーパスロット線路における上記第１の端部から上記第２の端部への向きは、上記無線受信装置のアンテナ装置のテーパスロット線路における上記第１の端部から上記第２の端部への向きに対して実質的に逆であることを特徴とする請求項８又は９記載の無線通信システム。
【発明の詳細な説明】
【技術分野】
【０００１】
本発明は、近接した装置間で非接触（無接点）方式のデータ伝送を行う際に用いるアンテナ装置に関する。本発明はまた、そのようなアンテナ装置を備えた無線通信装置及び無線通信システムに関するものである。
【背景技術】
【０００２】
近年、メモリーカード等のリムーバブル記録媒体のデータ容量は年々増加し、それに伴い、そのデータ転送速度も急速に増大している。メモリーカードとそのホスト装置との接続は、メモリーカードの表面の金属端子がホスト装置のソケットの金属端子に接触することで行われる。メモリーカードの表面に金属端子が露出しているので、静電気による破壊への対策として金属端子に静電容量を装荷する必要があるが、容量の影響により信号波形に歪みが生じるので、高速化の妨げになっている。そこで、高速データ通信を行うために、表面に露出した金属端子を持たない非接触方式のインターフェースを備えたメモリーカードを提供することが望ましい。
【０００３】
非接触方式のデータ伝送では、ベースバンド信号により搬送波を変調するのではなく、ベースバンド信号がそのままアンテナを介して送受信される（無線ベースバンド通信）。無線ベースバンド通信では、変調された搬送波を送受信する通常の無線通信方式とは異なり、ベースバンド信号に含まれる広い周波数帯域の信号を送受信する必要がある。すなわち、非接触方式のデータ伝送を実現するためには、従来の無線通信方式で用いるものよりもずっと広帯域なアンテナ装置が必要となる。
【０００４】
広帯域なアンテナ装置として、例えば、特許文献１に記載のアンテナ装置が知られている。特許文献１のアンテナ装置は、誘電体基板と、誘電体基板にテーパスロット線路を構成するために、誘電体基板の中央線に対して対称な関係を保つように、対向して誘電体基板上に設けられた第１および第２の導体と、第１の導体と第２の導体とで挟まれた領域として誘電体基板上に構成され、線路幅が誘電体基板の中央線に対して対称な関係を保って漸次広がり、その先端が開放端であるテーパスロット線路と、テーパスロット線路の他端に設けられた給電点に対して設けられ、給電点に給電する給電手段とを備え、テーパスロット線路を構成する第１および第２の導体のどちらか一方に対して切り込みを設けたことを特徴とする。第１および第２の導体の一方に切り込み（スリット）を設けることで、主ビーム方向を傾けることができる。
【０００５】
さらに、非接触方式のデータ伝送では、送信側装置と受信側装置との間の距離は非常に短いことが想定される。従って、送信側アンテナ装置と受信側アンテナ装置とが近接する影響を考慮したアンテナ装置が必要となる。
【先行技術文献】
【特許文献】
【０００６】
【特許文献１】特開２００８−２９４７３２号公報
【特許文献２】特開昭５９−０１００５６号公報
【発明の概要】
【発明が解決しようとする課題】
【０００７】
しかしながら、従来のアンテナ装置は、非接触方式のデータ伝送を行うためのアンテナ装置として使用するには不十分であった。例えば、特許文献１のアンテナ装置では、テーパスロット線路の開放端における導体間の距離によってテーパスロット線路のカットオフ周波数が決まり、このカットオフ周波数未満の低い周波数で動作させることが困難であった。従って、特許文献１のアンテナ装置を低い周波数で動作させるためには、アンテナ装置を大型化することが必要であった。
【０００８】
本発明の目的は、以上の課題を解決し、小型でありながら広帯域で動作し、非接触方式のデータ伝送に使用可能なアンテナ装置を提供することにある。本発明の目的はまた、そのようなアンテナ装置を備えた無線通信装置及び無線通信システムを提供することにある。
【課題を解決するための手段】
【０００９】
本発明の第１の態様に係るアンテナ装置によれば、
ループ状に設けられた第１、第２及び第３の導体素子を備えたアンテナ装置であって、
上記第１及び第２の導体素子は、第１の端部から第２の端部に向かうにつれて上記第１及び第２の導体素子の間の距離が次第に増大するテーパスロット線路を構成し、
上記テーパスロット線路の第１の端部において給電点が設けられ、
上記テーパスロット線路の第２の端部において上記第１及び第２の導体素子は上記第３の導体素子によって電気的に接続されることを特徴とする。
【発明の効果】
【００１０】
本発明のアンテナ装置によれば、小型でありながら広帯域で動作し、非接触方式のデータ伝送に使用可能なアンテナ装置を提供することができる。本発明によれば、そのようなアンテナ装置を備えた無線通信装置及び無線通信システムを提供することができる。
【図面の簡単な説明】
【００１１】
【図１】本発明の第１の実施形態に係る無線通信装置の構成を示す上面図である。
【図２】図１の無線通信装置の裏面図である。
【図３】図１の無線通信装置の側面図である。
【図４】２つのアンテナ装置１，１１を用いてデータ伝送を行う際のアンテナ装置１，１１の好ましい配置を示す斜視図である。
【図５】２つのアンテナ装置１，１１を用いてデータ伝送を行う際のアンテナ装置１，１１の好ましくない配置を示す斜視図である。
【図６】図４のアンテナ装置１，１１によって発生される磁界を説明するための概略図である。
【図７】図６のアンテナ装置１，１１によって発生される磁界を示す図である。
【図８】図４の導体素子２，３，１２，１３によって発生される電界を説明するための概略図である。
【図９】図８の導体素子２，３，１２，１３によって発生される電界を示す図である。
【図１０】本発明の第１の実施形態の第１の変形例に係る無線通信装置の構成を示す上面図である。
【図１１】図１のアンテナ装置１上における電流経路を示す概略図である。
【図１２】図１のアンテナ装置１の伝送効率の周波数特性を示す概略図である。
【図１３】図１０のアンテナ装置１Ａ上における電流経路を示す概略図である。
【図１４】図１０のアンテナ装置１Ａの伝送効率の周波数特性を示す概略図である。
【図１５】本発明の第１の実施形態の第２の変形例に係るアンテナ装置１Ｂの構成を示す上面図である。
【図１６】本発明の第１の実施形態の第３の変形例に係るアンテナ装置１Ｃの構成を示す上面図である。
【図１７】本発明の第１の実施形態の第４の変形例に係るアンテナ装置１Ｄの構成を示す上面図である。
【図１８】本発明の第１の実施形態の第５の変形例に係るアンテナ装置１Ｅの構成を示す上面図である。
【図１９】本発明の第１の実施形態の第６の変形例に係るアンテナ装置１Ｆの構成を示す上面図である。
【図２０】本発明の第１の実施形態の第７の変形例に係るアンテナ装置１Ｇの構成を示す上面図である。
【図２１】本発明の第１の実施形態の第８の変形例に係る無線通信装置の構成を示す裏面図である。
【図２２】本発明の第２の実施形態に係るＳＤメモリーカード３１を示す図である。
【図２３】図２２のＳＤメモリーカード３１及びそれを収容するホスト装置を示す断面図である。
【図２４】本発明の第３の実施形態に係るタブレット端末装置４１を示す図である。
【図２５】図２４のタブレット端末装置４１及びそれを保持する保持台４３を示す断面図である。
【発明を実施するための形態】
【００１２】
以下、本発明に係る実施形態について図面を参照して説明する。なお、以下の各実施形態において、同様の構成要素については同一の符号を付している。
【００１３】
第１の実施形態．
図１は、本発明の第１の実施形態に係る無線通信装置の構成を示す上面図である。図２は、図１の無線通信装置の裏面図である。図３は、図１の無線通信装置の側面図である。図１を参照すると、アンテナ装置１は、ループ状に設けられた導体素子２，３，４を備える。導体素子２，３は、第１の端部から第２の端部に向かうにつれて導体素子２，３の間の距離が次第に増大するテーパスロット線路を構成する。テーパスロット線路の第１の端部において給電点Ｐ１，Ｐ２が設けられ、テーパスロット線路の第２の端部において導体素子２，３は導体素子４によって電気的に接続される。給電点Ｐ１は導体素子２上に設けられ、給電点Ｐ２は導体素子３上に設けられる。アンテナ装置１は、動作波長の０．１〜０．２倍の周の長さを有する微小ループアンテナとして動作する。また、アンテナ装置１は、テーパスロット線路を備えたことにより、（開放端に相当する部分が導体素子４によって短絡されているものの）テーパスロットアンテナとしての特性を有し、これにより広帯域で動作する。
【００１４】
アンテナ装置１は、例えば、誘電体基板６上に導体パターンとして形成される。無線通信装置はさらに接地導体５を備えてもよく、接地導体は５は、例えば、誘電体基板６上に導体パターンとして形成される。このとき、図２及び図３に示すように、誘電体基板６の裏面上に無線通信回路２１を設けてもよい。無線通信回路２１は、誘電体基板６の裏面上に導体パターンとして形成された給電線２２，２３と、誘電体基板６を貫通するビア導体２４とを介して、給電点Ｐ１，Ｐ２に接続される。アンテナ装置１は、例えば、無線通信回路２１から送られた差動信号により給電点Ｐ１，Ｐ２において平衡給電される。従って、導体素子２，３がダイポールアンテナと同様に給電されるとみなすこともできる。また、誘電体基板６上において、接地導体５と無線通信回路２１とを同じ面上に設けてもよい。また、誘電体基板６の裏面上に、追加の接地導体を設けてもよい。また、誘電体基板６のいずれかの面上に、他の回路を設けてもよい。
【００１５】
次いで、図１の無線通信装置を送信側及び受信側に備えた無線通信システムについて説明する。
【００１６】
図４は、２つのアンテナ装置１，１１を用いてデータ伝送を行う際のアンテナ装置１，１１の好ましい配置を示す斜視図である。図４において、アンテナ装置１及び接地導体５を送信側の無線通信装置とみなし、アンテナ装置１１及び接地導体１５を受信側の無線通信装置とみなす。受信側のアンテナ装置１１は、送信側のアンテナ装置１（図１を参照）と同様に、ループ状に設けられた導体素子１２，１３，１４を備え、給電点Ｐ１１，Ｐ１２を有する。送信側の無線通信装置及び受信側の無線通信装置のいずれにおいても、図１〜図３の誘電体基板６及び無線通信回路２１などは図示の簡単化のために省略した。前述のように、アンテナ装置１，１１は、テーパスロット線路を備えたことによりテーパスロットアンテナとしての特性を有するので、アンテナ装置１，１１の放射パターンは、テーパスロット線路における第１の端部から第２の端部に向かうビームの成分を含む。従って、送信側のアンテナ装置１のテーパスロット線路における第１の端部から第２の端部への向き（給電点Ｐ１，Ｐ２から導体素子４への向き）は、受信側のアンテナ装置１１のテーパスロット線路における第１の端部から第２の端部への向き（給電点Ｐ１１，Ｐ１２から導体素子１４への向き）に対して実質的に逆にされる。図４のようにアンテナ装置１，１１を配置することにより、アンテナ装置１，１１の間で高い伝送効率でデータを送受信することができる。
【００１７】
図５は、２つのアンテナ装置１，１１を用いてデータ伝送を行う際のアンテナ装置１，１１の好ましくない配置を示す斜視図である。各アンテナ装置１，１１のテーパスロット線路における第１の端部から第２の端部への向きが同じである場合、アンテナ装置１，１１の間の伝送効率は図４の場合よりも低下する。
【００１８】
前述のように、アンテナ装置１，１１は微小ループアンテナとして動作する。従って、送信側のアンテナ装置１の導体素子２，３，４のループは、受信側のアンテナ装置１１の導体素子１２，１３，１４のループと磁界結合する。図６は、図４のアンテナ装置１，１１によって発生される磁界を説明するための概略図である。図７は、図６のアンテナ装置１，１１によって発生される磁界を示す図である。さらに、送信側のアンテナ装置１の導体素子２，３，４の少なくとも一部は、受信側のアンテナ装置１１の導体素子１２，１３，１４の少なくとも一部と電界結合する。図８は、図４の導体素子２，３，１２，１３によって発生される電界を説明するための概略図である。図９は、図８の導体素子２，３，１２，１３によって発生される電界を示す図である。例えば、図８及び図９に示すように、送信側のアンテナ装置１の導体素子２，３が、受信側のアンテナ装置１１の導体素子１２，１３と電界結合するが、他の導体素子４，１４が電界結合に寄与してもよい。
【００１９】
図４において、アンテナ装置１，１１の間のＺ方向の距離が短いほうが、アンテナ装置１，１１の間の磁界結合が強くなる。また、アンテナ装置１，１１の間に十分な磁界結合及び電界結合が生じるのであれば、図４とは異なる配置（例えば、アンテナ装置１，１１がＸ方向及び／又はＹ方向にずれた配置）であってもよい。
【００２０】
図１のアンテナ装置によれば、小型でありながら広帯域で動作し、非接触方式のデータ伝送に使用可能なアンテナ装置を提供することができる。
【００２１】
図１０は、本発明の第１の実施形態の第１の変形例に係る無線通信装置の構成を示す上面図である。図１０の無線通信装置のアンテナ装置１Ａにおいて、導体素子２，３は、テーパスロット線路に開口部を有するスリットＳ１，Ｓ２をそれぞれ備える。スリットＳ１，Ｓ２を備えたことにより、アンテナ装置１Ａの内周を電流が流れるときの経路長がスリットを持たない場合よりも増大し、低い周波数での伝送特性が向上する。
【００２２】
図１１は、図１のアンテナ装置１上における電流経路を示す概略図である。図１２は、図１のアンテナ装置１の伝送効率の周波数特性を示す概略図である。図１３は、図１０のアンテナ装置１Ａ上における電流経路を示す概略図である。図１４は、図１０のアンテナ装置１Ａの伝送効率の周波数特性を示す概略図である。図１１及び図１３の矢印は電流経路を示す。図１４の点線は、図１のアンテナ装置１の特性（図１２）を示す。図１４によれば、電流経路が長くなったことにより、さらに低い周波数をカバーできることがわかる。長いスリットを入れたときに電流経路はより長くなる。従って、テーパスロット線路の第１の端部（給電点Ｐ１，Ｐ２の位置）になるべく近い位置にスリットを設けることで長いスリットを形成でき、低い周波数における特性改善の効果も大きくなる。一方、高い周波数では、電流経路の長さ（すなわち磁界結合）よりも電界結合が寄与するので、図１２及び図１４に示すように、スリットＳ１，Ｓ２の有無に関わらず特性はほぼ同じになる。
【００２３】
図１５は、本発明の第１の実施形態の第２の変形例に係るアンテナ装置１Ｂの構成を示す上面図である。図１の導体素子２，３の少なくとも一方が、テーパスロット線路に開口部を有する少なくとも１つのスリットを備えてもよい。例えば、各導体素子２，３に２つ以上のスリットを設けてもよい。図１５のアンテナ装置１Ｂにおいて、導体素子２は３つのスリットＳ１，Ｓ３，Ｓ５を備え、導体素子３は３つのスリットＳ２，Ｓ４，Ｓ６を備えている。スリットの個数が増大することにより電流経路がさらに長くなり、より低い周波数をカバーすることができる。
【００２４】
図１６は、本発明の第１の実施形態の第３の変形例に係るアンテナ装置１Ｃの構成を示す上面図である。アンテナ装置のテーパスロット線路は曲線状でなくてもよい。図１６のアンテナ装置１Ｃは、直線状のテーパスロット線路を構成する導体素子２Ａ，３Ａを備えている。図１６において、導体素子２Ａ，３Ａは１つずつのスリットＳ１，Ｓ２を備えているが、図１５のように、２つ以上のスリットをそれぞれ備えてもよい。
【００２５】
図１７は、本発明の第１の実施形態の第４の変形例に係るアンテナ装置１Ｄの構成を示す上面図である。図１７のアンテナ装置１Ｄは、ループ状に設けられた導体素子２，３Ｂ，４を備え、導体素子３Ｂは、導体素子２，３Ｂ，４のループが、図１０の場合よりも大きくなるように形成される。これにより、他のアンテナ装置との磁界結合が強くなり、低い周波数での伝送特性が向上する。導体素子２及び／又は４も同様に、導体素子のループが大きくなるように形成されてもよい。
【００２６】
図１８は、本発明の第１の実施形態の第５の変形例に係るアンテナ装置１Ｅの構成を示す上面図である。図１８のアンテナ装置１Ｅは、図１０の導体素子３よりも大きな面積を有する導体素子３Ｃを備える。これにより、他のアンテナ装置との電界結合が強くなり、高い周波数での伝送特性が向上する。同様に、導体素子２及び／又は４の面積が増大されてもよい。
【００２７】
図１９は、本発明の第１の実施形態の第６の変形例に係るアンテナ装置１Ｆの構成を示す上面図である。図２０は、本発明の第１の実施形態の第７の変形例に係るアンテナ装置１Ｇの構成を示す上面図である。アンテナ装置の内周を電流が流れるときの経路長を増大させるために、導体素子４を変形してもよい。図１９のアンテナ装置１Ｆは、電流経路を長くするように構成された導体素子４Ａを備えている。図２０のアンテナ装置１Ｇは、メアンダ状の導体素子４Ｂを備えている。図１９のアンテナ装置１Ｆ及び図２０のアンテナ装置１Ｇによれば、電流経路が長くなったことにより、低い周波数での伝送特性が向上する。
【００２８】
図２１は、本発明の第１の実施形態の第８の変形例に係る無線通信装置の構成を示す裏面図である。無線通信装置は、図１〜図３のように平衡給電されることに限定されず、不平衡給電されてもよい。図２１の無線通信装置において、無線通信回路２１Ａは、誘電体基板６の裏面上に導体パターンとして形成された給電線２５と、誘電体基板６を貫通するビア導体（図示せず）とを介して、導体素子３の給電点Ｐ２に接続される。導体素子２（給電点Ｐ１）は、ビア導体（図示せず）と、誘電体基板６の裏面上に導体パターンとして形成された給電線２６と、ビア導体（図示せず）とを介して、接地導体５に接続される。アンテナ装置１は、例えば、無線通信回路２１Ａから送られたシングルエンド信号により給電点Ｐ２において不平衡給電される。
【００２９】
本実施形態の無線通信装置は、無線ベースバンド通信を行うために、例えば、８ｂ／１０ｂ符号化方式により符号化された信号をアンテナ装置を介して伝送する。本実施形態の無線通信装置のアンテナ装置は、磁界結合を利用してより低い周波数で動作可能であるが、ベースバンド信号に含まれる直流成分までを伝送することはできない。８ｂ／１０ｂ符号化方式は、８ビットの元信号に２ビットの冗長分を付加して、同じビットが５つ以上連続しないようにする符号化方式である（例えば特許文献２を参照）。８ｂ／１０ｂ符号化方式を用いることにより、クロック周波数の１／５以下の周波数成分を除去することができる。これにより、アンテナ装置を介して伝送することができない直流成分が除去され、無線ベースバンド通信を効率よく行うことができる。アンテナ装置を介して伝送する信号を符号化するために、８ｂ／１０ｂ符号化方式に限らず、信号に含まれる直流成分を低減することができる他の符号化方式（例えば、２ｂ／４ｂ符号化方式）を用いてもよい。
【００３０】
第２の実施形態．
図２２は、本発明の第２の実施形態に係るＳＤメモリーカード３１を示す図である。図１の無線送信装置は、例えば、図２２及び図２３に示すようなＳＤメモリーカード又は他のメモリーカードとして構成されてもよい。図２２のＳＤメモリーカード３１は、図１０のアンテナ装置１Ａを備えている。ＳＤメモリーカード３１では、従来のＳＤメモリーカードにおけるデータ入出力用の金属端子を除去することができる。また、電力供給用の金属端子はそのまま使用してもよい。図２３は、図２２のＳＤメモリーカード３１及びそれを収容するホスト装置を示す断面図である。ホスト装置は、ＳＤメモリーカード３１を収容するソケット３２と、図４のアンテナ装置１１を備えたソケット基板３３とを備える。ＳＤメモリーカード３１のアンテナ装置１Ａと、ホスト装置のアンテナ装置１１とは、実質的に図４と同様に配置され、アンテナ装置１Ａ，１１の間でデータを送受信する。
【００３１】
図２２及び図２３のＳＤメモリーカード３１及びホスト装置は、１つずつのアンテナ装置１Ａ，１１を備えているが、双方向のデータ伝送を行うために、それぞれ複数のアンテナ装置を備えてもよい。
【００３２】
第３の実施形態．
図２４は、本発明の第３の実施形態に係るタブレット端末装置４１を示す図である。ディスプレイ４２を備えたタブレット端末装置４１は、図１０のアンテナ装置１Ａを備えている。図２５は、図２４のタブレット端末装置４１及びそれを保持する保持台４３を示す断面図である。タブレット端末装置４１のアンテナ装置１Ａと、保持台４３のアンテナ装置１１とは、実質的に図４と同様に配置され、アンテナ装置１Ａ，１１の間でデータを送受信する。これにより、ディスプレイケーブル、ＨＤＭＩケーブルなどでタブレット端末装置４１及び保持台４３を接続しなくても、映像コンテンツや画像データ等を転送することができる。タブレット端末装置４１の筐体はＳＤメモリーカード３１よりも十分なスペースを有しているので、アンテナ装置１Ａのサイズを大きくすることができる。この場合、より低い周波数での伝送特性が向上する。
【００３３】
図２４及び図２５タブレット端末装置４１及び保持台４３は、１つずつのアンテナ装置１Ａ，１１を備えているが、双方向のデータ伝送を行うために、それぞれ複数のアンテナ装置を備えてもよい。
【００３４】
以上説明した各実施形態及び各変形例を組み合わせてもよい。
【００３５】
本発明の第１の態様に係るアンテナ装置によれば、
ループ状に設けられた第１、第２及び第３の導体素子を備えたアンテナ装置であって、
上記第１及び第２の導体素子は、第１の端部から第２の端部に向かうにつれて上記第１及び第２の導体素子の間の距離が次第に増大するテーパスロット線路を構成し、
上記テーパスロット線路の第１の端部において給電点が設けられ、
上記テーパスロット線路の第２の端部において上記第１及び第２の導体素子は上記第３の導体素子によって電気的に接続されることを特徴とする。
【００３６】
上記アンテナ装置において、上記給電点は、上記第１の導体素子上に設けられた第１の給電点と、上記第２の導体素子上に設けられた第２の給電点とを含み、上記アンテナ装置は上記第１及び第２の給電点を介して平衡給電されることを特徴とする。
【００３７】
上記アンテナ装置において、上記アンテナ装置は上記給電点を介して不平衡給電されることを特徴とする。
【００３８】
上記アンテナ装置において、上記第１及び第２の導体素子の少なくとも一方は、上記テーパスロット線路に開口部を有する少なくとも１つのスリットを備えたことを特徴とする。
【００３９】
本発明の第２の態様に係る無線通信装置によれば、第１の態様に係るアンテナ装置を備えたことを特徴とする。
【００４０】
上記無線通信装置は、８ｂ／１０ｂ符号化方式により符号化された信号を上記アンテナ装置を介して伝送することを特徴とする。
【００４１】
上記無線通信装置は、上記アンテナ装置を備えたメモリーカードであることを特徴とする。
【００４２】
本発明の第３の態様に係る無線通信システムによれば、第１の態様に係るアンテナ装置を備えた無線送信装置と、第１の態様に係るアンテナ装置を備えた無線受信装置とを備えたことを特徴とする。
【００４３】
上記無線通信システムにおいて、
上記無線送信装置のアンテナ装置の上記第１、第２及び第３の導体素子によって形成されるループは、上記無線受信装置のアンテナ装置の上記第１、第２及び第３の導体素子によって形成されるループと磁界結合し、
上記無線送信装置のアンテナ装置の上記第１、第２及び第３の導体素子の少なくとも一部は、上記無線受信装置のアンテナ装置の上記第１、第２及び第３の導体素子の少なくとも一部と電界結合することを特徴とする。
【００４４】
上記無線通信システムにおいて、上記無線送信装置のアンテナ装置のテーパスロット線路における上記第１の端部から上記第２の端部への向きは、上記無線受信装置のアンテナ装置のテーパスロット線路における上記第１の端部から上記第２の端部への向きに対して実質的に逆であることを特徴とする。
【産業上の利用可能性】
【００４５】
本発明のアンテナ装置は、微小ループアンテナとして動作するとともに、テーパスロットアンテナとしての特性を有し、低い周波数（例えば数百ＭＨｚ）から高い周波数（例えば１〜３ＧＨｚのクロック信号の周波数）までの広帯域でデータを伝送することができる。従って、本発明のアンテナ装置によれば、小型でありながら広帯域で動作し、非接触方式のデータ伝送に使用可能なアンテナ装置を提供することができる。本発明のアンテナ装置は、高速データ通信を行う際の広帯域の信号を、高い伝送効率かつ低損失で伝送することができる。
【００４６】
本発明のアンテナ装置は、例えば、無線ベースバンド通信に使用可能である。
【００４７】
本発明のアンテナ装置をメモリーカードに用いた場合、データ入出力用の金属端子をメモリーカードから除去することができるので、静電気対策が不要になり、データ転送速度を増大させることができる。
【００４８】
本発明のアンテナ装置は、メモリーカード及びタブレット端末装置に限らず、ディジタルカメラ、パーソナルコンピュータなどの他の装置との無線通信を行う任意の装置に使用可能である。
【符号の説明】
【００４９】
１，１Ａ〜１Ｇ，１１…アンテナ装置、
２，２Ａ，３，３Ａ〜３Ｃ，４，４Ａ，４Ｂ，１２，１３，１４…導体素子、
５，１５…接地導体、
６，１６…誘電体基板、
２１，２１Ａ…無線通信回路、
２２，２３，２５，２６…給電線、
２４…ビア導体、
３１…ＳＤメモリーカード、
３２…ソケット、
３３…ソケット基板、
４１…タブレット端末装置、
４２…ディスプレイ、
４３…保持台、
Ｐ１，Ｐ２，Ｐ１１，Ｐ１２…給電点、
Ｐ３…接地点、
Ｓ１〜Ｓ６…スリット。
【図１】
2013255069.tif 000003
【図２】
2013255069.tif 000004
【図３】
2013255069.tif 000005
【図４】
2013255069.tif 000006
【図５】
2013255069.tif 000007
【図６】
2013255069.tif 000008
【図７】
2013255069.tif 000009
【図８】
2013255069.tif 000010
【図９】
2013255069.tif 000011
【図１０】
2013255069.tif 000012
【図１１】
2013255069.tif 000013
【図１２】
2013255069.tif 000014
【図１３】
2013255069.tif 000015
【図１４】
2013255069.tif 000016
【図１５】
2013255069.tif 000017
【図１６】
2013255069.tif 000018
【図１７】
2013255069.tif 000019
【図１８】
2013255069.tif 000020
【図１９】
2013255069.tif 000021
【図２０】
2013255069.tif 000022
【図２１】
2013255069.tif 000023
【図２２】
2013255069.tif 000024
【図２３】
2013255069.tif 000025
【図２４】
2013255069.tif 000026
【図２５】
2013255069.tif 000027